(57)【要約】  バイオチップは、上面に金属層が堆積された基板（１）と、基板（１）の上に設けられ、それぞれ並行に延びる複数の仕切部（２）と、複数の仕切部（２）の上に設けられたカバー部材（３）とを備えている。基板（１）の上には、基板（１）、仕切部（２）及びカバー部材（３）により、それぞれ並行に延びる複数の流路（４）が形成され、基板（１）の上の各流路（４）には、それぞれ複数の固相化プローブ（５）が形成されている。流路（４）における基板（１）とカバー部材（３）との間隙は、液体が毛細管現象により流路（４）の一端から他端にまで展開できる大きさである。
2013179342.tif 000002
【特許請求の範囲】
【請求項１】
上面に金属層が形成された基板と、
前記基板の上に設けられ、それぞれ並行に延びる複数の仕切部と、
前記複数の仕切部の上に設けられたカバー部材とを備え、
前記基板の上には、前記基板、仕切部及びカバー部材により、それぞれ並行に延びる複数の流路が形成され、
前記基板の上の前記各流路には、それぞれ複数の固相化プローブが形成され、
前記流路における前記基板と前記カバー部材との間隙は、液体が毛細管現象により前記流路の一端から他端にまで展開できる大きさであるバイオチップ。
【請求項２】
請求項１において、
前記各流路の一端部又は他端部の一方に着脱可能に設けられ、前記流路内の液体を排出する液体排出手段をさらに備えているバイオチップ。
【請求項３】
請求項２において、
前記液体排出手段は、吸水性を有する吸水材であるバイオチップ。
【請求項４】
請求項２において
前記液体排出手段は、液体を吸引できる吸引ポンプであるバイオチップ。
【請求項５】
請求項１〜４のいずれか１項において、
前記金属層は、前記基板の上面に、多孔質層を有する陽極酸化アルミナ皮膜を介して形成されているバイオチップ。
【請求項６】
請求項１〜４のいずれか１項において、
前記基板は、その上面に凹凸構造を有し、
前記金属層は、前記凹凸構造の上に形成されているバイオチップ。
【請求項７】
請求項６において、
前記凹凸構造は、ナノインプリント法により形成されているバイオチップ。
【請求項８】
請求項１〜４のいずれか１項において、
前記金属層は、前記基板の上面に二次元状に配列された複数のシリカビーズの上に形成されているバイオチップ。
【請求項９】
請求項１〜４のいずれか１項において、
前記金属層は、前記基板の上に直接に金属ナノ粒子が配列されて形成されているバイオチップ。
【請求項１０】
請求項１〜９のいずれか１項において、
前記金属層は、金を含むバイオチップ。
【請求項１１】
請求項１〜１０のいずれか１項において、
前記仕切部と前記カバー部材とは、一体に形成されているバイオチップ。
【発明の詳細な説明】
【技術分野】
【０００１】
本発明は、バイオチップに関し、特に、生体試料中の生体分子の検出又は定量を簡便に行うためのバイオチップに関する。
【背景技術】
【０００２】
近年、ＤＮＡ及びタンパク質等の生体分子の解析のために、バイオチップが用いられている。従来のバイオチップには、その基板の上に、ＤＮＡ、タンパク質又は糖鎖等のうち検出する物質に応じて所定のプローブが固定されており、プローブと血液等の生体試料とを反応させて、プローブに所望の生体分子を結合させる。これにより、生体試料中の生体分子の検出及び定量を可能とする。基板の上に種々のプローブを固定することにより、同時に種々の試験を行うことができる。【０００３】
従来、タンパク質の検出及び定量は、蛍光物質等により標的のタンパク質の標識を行い、その蛍光強度を測定することにより行われている。このような測定方法は、標識工程を必要とするため、一連の工程を行うのに長い時間を必要とし、生体分子が有する高い認識能を阻害するため、感度の低下及び作業の煩雑化を招くこととなる。【０００４】
そこで、近年、このような標識を行うことなく、生体分子の検出及び定量をするための方法として局在プラズモン共鳴（localized surface plasmon resonance：ＬＳＰＲ）を用いた非標識法が注目されている（例えば、特許文献１等を参照。）。ＬＳＰＲは、金、銀及び白金等の貴金属微粒子に発現する非線形光学現象である。ＬＳＰＲを利用した測定法では、バイオチップの基板の上に堆積された貴金属粒子部分にプローブを介して生体分子を結合させ、貴金属粒子部分に測定光を照射し、透過又は反射した光の強度及び吸収ピーク波長のシフトの大きさを測定する。その大きさを指標にして、所望の生体分子の定量を行うことができる。このような非標識法を用いると、標識の工程を行う必要が無く簡便に試験を行うことができる。【０００５】
バイオチップは、疾病の予防及び治療を目的として用いられている。例えば患者の血液を試料として、バイオチップにより、患者の血液中の疾病に関わるタンパク質等のバイオマーカーを検出及び定量することにより、患者の状態を検査することができる。また、バイオチップを用いると、同時に複数のバイオマーカーを検出でき、さらに、複数の患者の生体試料を同時に測定することも可能となる。
【先行技術文献】
【特許文献】
【０００６】
【特許文献１】特開２００２−３６５２１０号公報
【発明の概要】
【発明が解決しようとする課題】
【０００７】
しかしながら、従来のバイオチップは、その基板の上に複数のプローブが行列状に固定され、各プローブの上に微量の生体試料を順次滴下する必要があり、多大な労力及び時間が必要となる。また、自動的に試料を滴下することができる装置を用いたとしても、そのような装置は単一の試料を連続的に滴下することは可能であるが、複数の試料を滴下する場合に、工程が煩雑となり、装置内において試料同士のコンタミネーション等のおそれが生じる。例えば、ヒトの血液を試料とし、それをバイオチップに滴下すると共に、検量線を作成するための標準溶液を同一のバイオチップに滴下する場合、コンタミネーション等のおそれが生じることとなる。同様に、複数の患者の血液を同一のバイオチップに滴下する場合にもコンタミネーション等のおそれが生じる。【０００８】
本発明は前記の問題に鑑み、その目的は、高価な装置を用いる必要が無く、試料中の多種の物質の測定及び検量線の作成を共に容易に行うことができるバイオチップを得られるようにすることにある。
【課題を解決するための手段】
【０００９】
前記の目的を達成するため、本発明は、バイオチップを、複数の流路を有し、その流路は液体が毛細管現象により展開する程度の間隙を有する構成とする。【００１０】
具体的に、本発明に係るバイオチップは、上面に金属層が形成された基板と、基板の上に設けられ、それぞれ並行に延びる複数の仕切部と、複数の仕切部の上に設けられたカバー部材とを備え、基板の上には、基板、仕切部及びカバー部材により、それぞれ並行に延びる複数の流路が形成され、基板の上の各流路には、それぞれ複数の固相化プローブが形成され、流路における基板とカバー部材との間隙は、液体が毛細管現象により流路の一端から他端にまで展開できる大きさである。【００１１】
本発明に係るバイオチップによると、基板の上に複数の流路が形成され、その流路における基板とカバー部材との間隙は、液体が毛細管現象により流路の一端から他端にまで展開できる大きさであるため、高価な装置を用いることなく容易に多数の試料を同時に測定することができる。また、試料の測定と共に検量線の作成を行うことも可能である。さらに、基板の上面には金属層が形成されているため、測定の際にはＬＳＰＲを利用することができ、標識の工程を行う必要はなく、より簡便に高感度の測定を行うことができる。【００１２】
本発明に係るバイオチップは、各流路の一端部又は他端部の一方に着脱可能に設けられ、流路内の液体を排出する液体排出手段をさらに備えていることが好ましい。【００１３】
このようにすると、各流路の液体を迅速且つ簡便に排出することができる。【００１４】
この場合、液体排出手段は、吸水性を有する吸水材であってもよい。【００１５】
さらに、液体排出手段は、液体を吸引できる吸引ポンプであってもよい。【００１６】
本発明に係るバイオチップにおいて、金属層は、基板の上面に多孔質層を有する陽極酸化アルミナ皮膜を介して形成されていてもよい。【００１７】
本発明に係るバイオチップにおいて、基板は、その上面に凹凸構造を有し、金属層は、凹凸構造の上に形成されていてもよい。【００１８】
この場合、凹凸構造は、ナノインプリント法により形成されていることが好ましい。【００１９】
本発明に係るバイオチップにおいて、金属層は、基板の上面に二次元状に配列された複数のシリカビーズの上に形成されていてもよい。【００２０】
本発明に係るバイオチップにおいて、金属層は、基板の上に直接に金属ナノ粒子が配列されて形成されていてもよい。【００２１】
本発明に係るバイオチップにおいて、金属層は金を含んでもよい。【００２２】
本発明に係るバイオチップにおいて、仕切部とカバー部材とは、一体であってもよい。【００２３】
このようにすると、仕切部とカバー部材とを同一の工程で設けることが可能となり、バイオチップの作製がより簡便となる。
【発明の効果】
【００２４】
本発明に係るバイオチップによると、高価な装置を用いることなく容易に多数の試料の測定を行うと共に検量線の作成をも行うことができる。このため、一人の患者の複数の生体分子の測定、又は複数の患者の単一若しくは複数の生体分子の測定を容易に行うことができる。
【図面の簡単な説明】
【００２５】
【図１】図１は本発明の一実施形態に係るバイオチップを示す斜視図である。
【図２】図２は本発明の一実施形態に係るバイオチップの仕切部の一例を示す平面図である。
【図３】図３は本発明の一実施形態に係るバイオチップにおける流路から液体を排出する形態を示す斜視図である。
【図４】図４は本発明のバイオチップと従来のバイオチップとを用いてトランスサイレチンを測定した結果を示すグラフである。
【図５】図５は本発明のバイオチップと従来のバイオチップとを用いてＣ反応性蛋白を測定した結果を示すグラフである。
【図６】図６は本発明のバイオチップと従来のバイオチップとを用いてシスタチンＣを測定した結果を示すグラフである。
【発明を実施するための形態】
【００２６】
本発明の一実施形態に係るバイオチップについて図１及び図２を参照しながら説明する。
【００２７】
図１に示すように、本実施形態に係るバイオチップ１０には、例えばガラス等からなる基板１の上面にそれぞれ並行に延びる複数の仕切部２が形成されている。基板１及び仕切部２の上にはカバー部材であるカバーガラス３が設けられている。基板１、仕切部２及びカバーガラス３によりそれぞれ並行に延びる複数の流路４が形成され、基板１の上面の流路４には、複数の固相化プローブ５が形成されている。ここで、流路４における基板１とカバーガラス３との間隙は、液体が毛細管現象により流路４の一端から他端にまで展開できる程度の大きさである。具体的に、間隙の大きさは、１００μｍ〜１０００μｍ程度である。１００μｍ未満であると、流路４から液体を排出することが困難となり、１０００μｍよりも大きいと、固相化プローブ５に光を照射する際に光の焦点が合わず、測定が困難となる。また、図１では、流路４の一端は、基板１の端部よりも内側に形成されているが、他端と同様に基板１の端部にまで延びていても構わない。また、逆に、流路４の他端が基板１の端部よりも内側に形成されていても構わない。
【００２８】
基板１の上面には、例えば金が蒸着されることにより形成された金属層（図示せず）が形成されている。また、基板１の上に形成された固相化プローブ５は、例えば抗体等を含み、具体的に、基板１の上に蒸着された金属層に抗体等が固定されている。固相化プローブ５の種類は、検出又は定量したい生体分子により選択でき、抗体の他に、所定のＤＮＡを検出したい場合は、そのＤＮＡと結合できるＤＮＡ断片等の核酸を用いることができる。また、金属層は、局在プラズモン共鳴（ＬＳＰＲ）を利用した検出又は測定を行うことが可能な金属層であればよく、金以外に、銀又は白金等を用いても構わない。
【００２９】
金属層は、基板１の上に多孔質層を有する陽極酸化アルミナ皮膜を介して形成されていることが好ましい。また、金属層は基板１の上に二次元状に配列された複数のシリカビーズの上に形成されてもよい。さらに、金属層は、基板１の上に直接に金属ナノ粒子が配設されることによって形成されてもよい。
【００３０】
これらの他に、基板１に所望の形状を有する凹凸構造を形成し、その上に金属層を形成しても構わない。基板１に凹凸構造を形成するために、例えばナノインプリント法を用いることができる。ナノインプリント法を用いる場合、基板１に例えば高分子樹脂を用いることができる。このような基板１の上面に対して、特定の形状を有する鋳型を用いて型押しした後に、その上面に金属層を堆積してもよい。鋳型の形状は、金属層が基板１の上面に堆積するのに好適な形状であることが好ましい。
【００３１】
仕切部２は、基板１とカバーガラス３との間に介在するように設けられており、これにより、基板１とカバーガラス３との間に間隙を形成している。また、仕切部２は、基板１及びカバーガラス３と流体密に接着されており、これにより仕切部２同士の間にそれぞれ流路４が形成されている。仕切部２は、基板１とカバーガラス３との間に、液体が毛細管現象により流路４の一端から他端にまで展開できる程度の大きさの間隙を形成できる厚さを有する。具体的に、仕切部２の厚さは、１００μｍ〜１０００μｍ程度である。このようにすると、各流路４の一端部に液体の試料を滴下するだけで、複数の固相化プローブ５が形成された流路４に試料が展開するため、高価な装置を用いることなく容易に多数の試料を同時に測定することができる。また、試料の測定と共に検量線の作成を行うことも可能であり、試料の滴下の際の試料同士等のコンタミネーションを防ぐこともできる。さらに、上述の通り、流路４から液体を排出することが可能となり、固相化プローブ５に光を照射する際に光の焦点が容易に合い、測定が可能となる。
【００３２】
仕切部２には、例えば前記の厚さを有する両面テープを用いることができる。また、前記の厚さで接着剤を塗布することにより仕切部２を形成してもよい。これらの他に、基板１に複数の樹脂等からなるガスケットを接着することにより仕切部２を形成することができる。また、複数のガスケットでなく、図２に示すような複数の仕切部２を有する櫛状のガスケット等の仕切部材２０を用いてもよい。また、基板１又はカバーガラス３に、互いに並行に延びる複数の溝を形成することにより、溝の両側に仕切部２を形成してもよい。すなわち、基板１又はカバーガラス３と仕切部２とが一体となった構成であっても構わない。また、本実施形態では、カバー部材として、カバーガラス３を用いているが、透明なフィルムからなるカバー部材を用いてもよい。
【００３３】
基板１、仕切部２及びカバーガラス３に囲まれた各流路４には、複数の固相化プローブ５が形成されている。例えば、１２本の流路４が形成されている場合、各流路４に８個の固相化プローブ５を形成すると、１つのバイオチップに行列状に９６個の固相化プローブ５を形成できる。ここで、各固相化プローブ５は、同一の種類であってもよく、複数の種類であってもよい。なお、流路４及び固相化プローブ５の数は、上記の数に限定されない。
【００３４】
また、図３に示すように、流路４の一端部又は他端部の一方に、各流路４内に展開した液体を排出するための液体排出手段である吸水性を有する吸水材６を着脱可能に設けることができる。吸水材６には、例えば吸水性が高い濾紙及び樹脂等を用いることができる。吸水材６を流路４の他端部に設けることにより、吸水材６が流路４内の試料を吸収するため、流路４から試料を排出することができる。この他に、液体排出手段には、モータ等を用いた吸引ポンプ等を用いることができる。このような液体排出手段により、各流路４の液体を迅速且つ簡便に排出することができる。
【００３５】
次に、本実施形態に係るバイオチップを用いて、試料中の所望の生体分子を検出及び測定する方法について説明する。
【００３６】
例えばヒトの血液を試料として、血液内の疾病に関わるバイオマーカーを検出する場合、予め、本実施形態に係るバイオチップに、所望のバイオマーカーと結合する抗体又は核酸等を固相化プローブとして固定する。ここで、固相化プローブは各流路に複数形成されてよく、前記の通り、例えば１２列の流路が形成されている場合、各流路の８箇所に固相化プローブを形成すると、行列状に９６個の固相化プローブを１つのバイオチップに形成できる。
【００３７】
次に、ヒトの血液又は血清等である試料をバイオチップの流路の一端部に滴下する。滴下された試料は、毛細管現象により流路内に展開し、流路の他端部にまで達する。ここで、試料の滴下は、自動の分注装置を用いてもよく、通常のピペット又は分注器により手動で行っても構わない。但し、複数種の試料を１つのバイオチップに滴下する場合、チップを容易に交換できるピペットを用いる方が、コンタミネーションの防止の観点から好ましい。また、試料の滴下と共に、検量線の作成のために、例えばタンパク質標準液を同一のバイオチップに滴下することもできる。なお、この工程では、液体排出手段は、バイオチップに装着されていない。
【００３８】
次に、所定の温度及び時間で試料と固相化プローブとを反応させる。反応時間等は、試料の種類及びプローブの種類に応じて適宜好適な条件を選択することができる。
【００３９】
次に、液体排出手段をバイオチップに装着することにより、流路の他端部から試料を排出する。例えば、液体排出手段に吸水材を用いる場合、吸水材を基板の流路の他端部に、試料と接触するように載置する。これにより、吸水材が流路内の試料を吸収するため、流路から試料を排出することができる。また、液体排出手段に、吸引ポンプを用いる場合、吸引ポンプの吸引口を流路の他端部に載置することにより、各流路から試料を排出することができる。なお、流路の他端部に液体排出手段を設けずに、流路の一端部に設けることによって一端部から試料を排出してもよい。試料を排出した後、液体排出手段をバイオチップから外す。
【００４０】
次に、例えばリン酸緩衝生理食塩水（ＰＢＳ）等の緩衝液である所定の洗浄液を流路の一端部に滴下する。滴下された試料は、毛細管現象により流路内に展開し、流路の他端にまで達する。その後、試料と同様に、液体排出手段により洗浄液を流路の他端部から排出する。この洗浄を２回〜３回程度行う。
【００４１】
次に、バイオチップを乾燥した後に、吸光度の測定を行うことにより所望の生体分子の検出及び測定を行う。ここで、吸光度の測定は、試料とプローブとを反応させる前に予め行っておき、反応後の吸光度と比較する。反応前の吸収ピーク波長と反応後の吸収ピーク波長のシフト量により測定する。
【００４２】
本発明の一実施形態に係るバイオチップによると、測定対象の生体分子と結合する複数の固相化プローブが、液体が毛細管現象により展開できる程度の間隙を有する流路に形成されているため、各固相化プローブと生体分子を含む試料との反応を容易に行うことができる。従って、高価な装置を用いることなく容易に多数の生体分子の測定ができる。また、生体分子の測定と共に同一のバイオチップを用いて検量線を作成することもできる。
【実施例】
【００４３】
以下、本発明のバイオチップの具体的な実施例を示す。本実施例では、本発明のバイオチップを用いて、ヒトの血清中のトランスサイレチン（ＴＴＲ）、Ｃ反応性蛋白（ＣＲＰ）及びシスタチンＣの量を測定し、その結果を従来の方法を用いて測定した結果と比較した。【００４４】
（バイオチップ用基板の作製）
まず、市販されている通常のスライドガラスの上面に、厚さが３μｍ程度のアルミニウム膜を蒸着させた。続いて、形成されたアルミニウム膜に対して、０．３Ｍのシュウ酸溶液を用いて、印加電圧４０Ｖで、０℃で６０分間の１回目の陽極酸化処理を行い、陽極酸化アルミナ皮膜を形成した。その後、形成されたアルミナ皮膜に対して１０分間の超音波処理を行い、超純水を用いて洗浄を行った。【００４５】
次に、上記工程で形成された陽極酸化アルミナ皮膜を除去した。陽極酸化アルミナ皮膜の除去は、リン酸と水とを８：２の比率で含む溶液に５０ｇ／Ｌのクロム酸を加えた溶液を用いて、６０℃〜８０℃で３分間反応させることにより行った。反応後に、１０分間の超音波処理を行い、超純水を用いて洗浄を行った。【００４６】
次に、０．３Ｍのシュウ酸溶液を用いて、印加電圧４０Ｖで、１０℃で５分間の条件で２回目の陽極酸化処理を行い、その後、１０分間の超音波処理を行い、超純水を用いて洗浄を行った。これにより、スライドガラスの上面に厚さが約６００ｎｍの多孔質層を有する陽極酸化アルミナ皮膜が得られた。【００４７】
次に、得られた陽極酸化アルミナ皮膜の上に、スパッタ法により金を堆積した。具体的に、陽極酸化アルミナ皮膜の多孔質層の開口部の周辺に金を付着させた。これにより、金からなる金属層を含むバイオチップ用の基板が得られた。この基板は、使用時までデシケータ内に保存することができる。【００４８】
（バイオチップの作製）
作製した基板の上に固相化プローブを固定するために、まず、基板を１ｍＭの１０−カルボキシル−１−デカンチオールを含むエタノールに一晩、好ましくは６〜１２時間浸漬した。その後、基板を超純水により洗浄し、乾燥させた。続いて、基板を０．１ＭのＮ−ヒドロキシスクシンイミドエステル（ＮＨＳ）と０．４Ｍの水溶性カルボジイミド（ＷＳＣ）とを含む水溶液に１０分間浸漬した。その後、基板をリン酸緩衝生理食塩水（ＰＢＳ）により洗浄し、乾燥させた。【００４９】
次に、基板の上に抗ＴＴＲ抗体、抗ＣＲＰ抗体及び抗シスタチンＣ抗体をそれぞれ滴下し、３０分間静置した。ここで、抗体の滴下は、行列状に複数箇所に行う。本実施例では、各抗体を２列×４行の８スポットずつ配列し、合計で６列×４行の計２４スポットを配列した。その後、基板をTween-20含有ＰＢＳ（ＰＢＳＴ）により２回洗浄し、ＰＢＳにより１回洗浄し、乾燥させた。これにより、複数のスポット状の固相化プローブが形成された。【００５０】
次に、固相化プローブが形成された基板を、１％のウシ血清アルブミン（ＢＳＡ）に３０分間浸漬してブロッキングを行った。その後、基板をＰＢＳＴにより２回洗浄し、ＰＢＳにより１回洗浄し、乾燥させた。【００５１】
次に、基板の上に仕切部を設けた。仕切部には、厚さが１３６μｍの両面テープを用い、これを基板の上に、上記工程で形成されたプローブの行に沿って、プローブ同士の間及び両端に５本の両面テープをそれぞれ並行に貼着した。【００５２】
次に、基板の上に、複数のプローブを覆うように、仕切部である両面テープを介して、市販されている通常のカバーガラスを貼着した。これにより、基板とカバーガラスとの間には、両面テープの厚み分の間隙が形成され、この間隙が流路となる。本実施例では４本の流路が形成されることとなる。【００５３】
また、流路からの試料の排出のために、液体排出手段である濾紙からなる吸水パッドを準備した。【００５４】
上記の工程により、本実施例のバイオチップが完成した。【００５５】
（試料の測定）
以下、上記の工程により作製したバイオチップを用いて、試料を測定する方法を説明する。本実施例では、ＴＴＲ、ＣＲＰ及びシスタチンＣの３種のタンパク質を含む標準タンパク質混合液を用いて検量線を作成し、血清を試料として３種のタンパク質を検出及び定量した結果について示す。【００５６】
まず、予め上記方法により得られたバイオチップの各固相化プローブが形成された領域の吸光度の測定を行い、吸収ピーク波長を記録しておく。【００５７】
次に、標準タンパク質混合液及び血清をそれぞれ流路の一端部に滴下する。本実施例では、１０ｎｇ／ｍＬ及び１００ｎｇ／ｍＬの標準タンパク質混合液、並びに１００倍希釈及び１０００倍希釈したヒト血清を用いた。これらをそれぞれ流路の一端部に滴下した。基板とカバーガラスとの間隙の大きさは両面テープの厚み分であり、極めて小さいため、毛細管現象により、ヒト血清及び標準タンパク質混合液が流路の一端から他端にまで展開する。これにより、流路における各プローブとヒト血清及び標準タンパク質混合液とが反応することができる。この状態で３０分間静置した後に、流路の他端部に、試料と接するように濾紙からなる吸水パッドを載置して、流路内の試料を排出した。その後、流路内に試料を展開させた工程と同様に、流路をＰＢＳＴにより２回洗浄し、ＰＢＳにより１回洗浄し、その後に乾燥させた。【００５８】
次に、洗浄及び乾燥後のバイオチップの各固相化プローブが形成された領域の吸光度を測定し、試料と反応させる前に測定した吸収ピーク波長とのシフト量を指標として、標準タンパク質混合液による検量線を用いて各タンパク質の含有量を測定した。その結果を図４〜図６に示す。なお、図４〜図６には、本実施例の結果と共に、流路を有さない従来のバイオチップを用いて、各プローブの上に順次試料を滴下して試験した結果を示している。【００５９】
図４〜図６に示すように、本発明に係るバイオチップを用いても、従来のバイオチップを用いた場合と比較して同等の結果が得られた。すなわち、従来よりも簡便な方法で、従来と同等の測定結果を得ることができた。
【産業上の利用可能性】
【００６０】
本発明に係るバイオチップは、高価な装置を用いることなく容易に多数の試料を同時に測定することができ、特に、生体試料中の生体分子の検出又は定量のためのバイオチップ等に有用である。
【符号の説明】
【００６１】
１  基板
２  仕切部
３  カバーガラス
４  流路
５  固相化プローブ
６  吸水材
１０  バイオチップ
２０  仕切部材
【図１】
2013179342.tif 000003
【図２】
2013179342.tif 000004
【図３】
2013179342.tif 000005
【図４】
2013179342.tif 000006
【図５】
2013179342.tif 000007
【図６】
2013179342.tif 000008
【国際調査報告】
2013179342.tif 000009
2013179342.tif 000010
2013179342.tif 000011
2013179342.tif 000012